(57)【要約】【課題】レンズ開口１１ａから水分を効率的に排出し、撮影レンズ１３への水分の付着を防止できるカメラ１０，１０Ａを提供することを目的とする。【解決手段】カメラハウジング１１の底部表面にレンズ開口１１ａの周縁部からカメラハウジング１１の背面に被せた吸水シート１２又は排水シート１８に達する導水路１１ｂを形成する。撮影レンズ１３の表面に付着した水分が吸水シート１２の吸水作用によって、レンズ開口１１ａから導水路１１ｂを通って吸水シート１２に吸水される。また、撮影レンズ１３に付着した水分が導水路１１ｂを通って排水シート１８に達すると、排水シート１８に施された親水性コーティング１８ｂの親和作用により排水シート１８から速やかに滴下する。そのため、撮影レンズ１３に付着する水分量が多くても導水路１１ｂに水分が溜まることなく、レンズ開口１１ａの外に排水されるので、撮影レンズ１３に水分が付着して撮影画像が不鮮明になるのを防止できる。【選択図】図２
2020064202.tif 000002
【特許請求の範囲】
【請求項１】
正面に撮影レンズが露出するレンズ開口を形成したカメラハウジングを備えたカメラであって、
背面に吸水シートを被せるとともに、カメラハウジングの底部表面にレンズ開口の周縁部から吸水シートに達する導水路を形成したことを特徴とするカメラ。
【請求項２】
正面に撮影レンズが露出するレンズ開口を形成したカメラハウジングを備えたカメラであって、
親水性のコーティングを施した排水シートを背面に被せるとともに、カメラハウジングの底部表面にレンズ開口の周縁部から排水シートに達する導水路を形成したことを特徴とするカメラ。
【請求項３】
車室外を撮影するためにカメラハウジングの背面を車体の外面に固定したことを特徴とする請求項１又は２に記載のカメラ。
【請求項４】
ナンバープレートを車体に固定するためナンバープレートと車体のそれぞれに形成された取付穴に挿通可能であって、筒構造を有し、筒構造の内部にカメラハウジングと車室内に設置されるディスプレイを接続するコードを挿通したボルトをカメラハウジングの背面に植設したことを特徴とする請求項３に記載のカメラ。
【発明の詳細な説明】
【技術分野】
【０００１】
本発明はカメラに関し、より詳しくは、車体の外面に取り付けて車室外を撮影する車載カメラや、屋外に設置する防犯カメラとして使用するに好適なカメラに関する。
【背景技術】
【０００２】
この種のカメラでは、カメラハウジングのレンズ開口から露出している撮影レンズの表面に雨滴等の水分が付着すると、ディスプレイに表示される撮影画像が付着した水分で歪んだり、不鮮明になることがある。
【０００３】
特開２００９−１５７１９４号公報には、撮影レンズに水分が付着するのを防止するため、レンズ開口の周囲に開口の径方向に延びる複数本の導水路を形成し、水分をレンズ開口の外に排水するようにした車載カメラが開示されている。
【先行技術文献】
【特許文献】
【０００４】
【特許文献１】特開２００９−１５７１９４号公報
【発明の概要】
【発明が解決しようとする課題】
【０００５】
上記した従来の車載カメラでは、撮影レンズに付着する水分量が多いと、導水路に水分が溜まってしまうので、水分をレンズ開口の外に排出できなくなる。
本発明はかかる問題点に鑑み、レンズ開口から水分を効率的に排出し、撮影レンズへの水分の付着を防止できるカメラを提供することを目的とする。
【課題を解決するための手段】
【０００６】
請求項１に記載の発明は、正面に撮影レンズが露出するレンズ開口を形成したカメラハウジングを備えたカメラであって、
背面に吸水シートを被せるとともに、カメラハウジングの底部表面にレンズ開口の周縁部から吸水シートに達する導水路を形成したことを特徴とする。
【０００７】
請求項２に記載の発明は、正面に撮影レンズが露出するレンズ開口を形成したカメラハウジングを備えたカメラであって、
親水性のコーティングを施した排水シートを背面に被せるとともに、カメラハウジングの底部表面にレンズ開口の周縁部から排水シートに達する導水路を形成したことを特徴とする。
【０００８】
そして、好ましくは、車室外を撮影するためにカメラハウジングの背面を車体の外面に固定する。
【０００９】
また、好ましくは、ナンバープレートを車体に固定するためナンバープレートと車体のそれぞれに形成された取付穴に挿通可能であって、筒構造を有し、筒構造の内部にカメラハウジングと車室内に設置されるディスプレイを接続するコードを挿通したボルトをカメラハウジングの背面に植設する。
【発明の効果】
【００１０】
請求項１に記載の発明によれば、カメラハウジングの底部表面にレンズ開口の周縁部からカメラハウジングの背面に被せた吸水シートに達する導水路を形成したので、撮影レンズに付着した水分が吸水シートの吸水作用によって、レンズ開口から導水路を通って吸水シートに吸水される。そのため、撮影レンズに付着する水分量が多くても導水路に水分が溜まることなく、レンズ開口の外に排水されるので、撮影レンズに水分が付着して撮影画像が不鮮明になるのを防止できる。
【００１１】
請求項２に記載の発明によれば、撮影レンズに付着した水分が導水路を通って排水シートに達すると、排水シートに施された親水性コーティングの親和作用により排水シートから速やかに滴下する。
そのため、撮影レンズに付着する水分量が多くても導水路に水分が溜まることなく、レンズ開口の外に排水されるので、撮影レンズに水分が付着して撮影画像が不鮮明になるのを防止できる。
【図面の簡単な説明】
【００１２】
【図１】本発明の第１実施例に係る車載カメラを取り付けたナンバープレートを示す説明図である。
【図２】同車載カメラとナンバープレートを示す一部破断した側面図である。
【図３】同車載カメラとナンバープレートを示す一部破断した平面図である。
【図４】同車載カメラを示す正面図である。
【図５】同車載カメラの部分拡大図である。
【図６】本発明の第２実施例に係る車載カメラとナンバープレートを示す一部破断した側面図である。
【実施例１】
【００１３】
以下に本発明を車載カメラ１０に適用した第１実施例を図１〜図５に示す。当該車載カメラ１０はカメラハウジング１１と吸水シート１２を備えている。吸水シート１２の材質としては、コットン、リネン、リヨセル、レーヨン等の織物やスポンジ、フェルト等を用いることができる。カメラハウジング１１の正面にはレンズ開口１１ａが形成され、レンズ開口１１ａから撮影レンズ１３が露出している。カメラハウジング１１の背面には車載カメラ１０を車体２０に取り付けるためのボルト１４が植設されている。このボルト１４は車体２０にナンバープレート２１を取り付けるため車体２０とナンバープレート２１のそれぞれに形成された取付穴２０ａ，２１ａに挿通できるサイズを有する。また、このボルト１４は筒構造を有し、カメラハウジング１１と車室内のディスプレイ（図示略）を接続するコード１５が挿通されている。一方、吸水シート１２にはボルト１４を通す穴１２ａが形成されている。
【００１４】
カメラハウジング１１の底部表面にはレンズ開口１１ａの周縁部からカメラハウジング１１の背面に被せた吸水シート１２に達する一本の導水路１１ｂが形成されている。図５に拡大して示すように、導水路１１ｂはＶ字形の断面形状を有する。
【００１５】
本実施例に係る車載カメラ１０の構造は以上の通りであって、吸水シート１２の穴１２ａにボルト１４を通して吸水シート１２をカメラハウジング１１の背面に被せ、ボルト１４をナンバープレート２１の取付穴２１ａと車体２０の取付穴２０ａに挿通し、ナット２３でナンバープレート２１に締め付け、コード１５をディスプレイに接続する。
【００１６】
本実施例に係る車載カメラ１０によれば、カメラハウジング１１の底部表面にレンズ開口１１ａの周縁部からカメラハウジング１１の背面に被せた吸水シート１２に達する導水路１１ｂを形成したので、撮影レンズ１３の表面に付着した水分が吸水シート１２の吸水作用によって、レンズ開口１１ａから導水路１１ｂを通って吸水シート１２に吸水される。そのため、撮影レンズ１３に付着する水分量が多くても導水路１１ｂに水分が溜まることなく、レンズ開口１１ａの外に排水されるので、撮影レンズ１３に水分が付着して撮影画像が不鮮明になるのを防止できる。
【００１７】
また、ナンバープレート２１を車体２０に取り付けるために車体２０とナンバープレート２１に予め形成されている取付穴２０ａ，２１ａに挿通可能なボルト１４をカメラハウジング１１に設けたので、車載カメラ１０を車体２０に取り付けるため、後加工で車体２０に取付穴２０ａを加工する必要がない。
【００１８】
なお、本実施例ではカメラハウジング１１の底部表面に一本の導水路１１ｂを形成したが、複数本の導水路１１ｂを形成して排水性能を高めることもできる。
【実施例２】
【００１９】
本発明を車載カメラに適用した第２実施例を図６に示す。この車載カメラ１０Ａのカメラハウジング１１の背面には排水シート１８が被せられている。排水シート１８は基材１８ａの表面に親水性コーティング１８ｂを施した構造を備えている。基材１８ａの材質には、プラスチック製、金属製又はガラス製シートを用いることができる。また、親水性コーティング１８ｂの材料には、シリカ粒子、ケイ素化合物、シラノール、二酸化ケイ素化合物、二酸化ケイ素、二酸化チタン、リン酸カルシウム等を用いることができる。
なお、本実施例に係る車載カメラ１０Ａの他の構成は第１実施例に係る車載カメラ１０と同じであるので、同一の構成要素に同一の符号を付して説明を省略する。
【００２０】
本実施例によれば、撮影レンズ１３に付着した水分が導水路１１ｂを通って排水シート１８に達すると、排水シート１８に施された親水性コーティング１８ｂの親和作用により排水シート１８から速やかに滴下する。そのため、撮影レンズ１３に付着する水分量が多くても導水路１１ｂに水分が溜まることなく、レンズ開口１１ａの外に排水されるので、撮影レンズ１３に水分が付着して撮影画像が不鮮明になるのを防止できる。
【００２１】
なお、第１実施例及び第２実施例では本発明を車載カメラに適用した場合について説明したが、本発明は、車載カメラに限定されるものではなく、屋外に設置される防犯カメラや、監視カメラあるいは各種デジタルカメラに適用することもできる。
【符号の説明】
【００２２】
１０，１０Ａ…車載カメラ
１１…カメラハウジング
１１ａ…レンズ開口
１１ｂ…導水路
１２…吸水シート
１３…撮影レンズ
１４…ボルト
１５…コード
１８…排水シート
１８ａ…基材
１８ｂ…親水性コーティング
２０…車体
２０ａ…取付穴
２１…ナンバープレート
２１ａ…取付穴
【図１】
2020064202.tif 000003
【図２】
2020064202.tif 000004
【図３】
2020064202.tif 000005
【図４】
2020064202.tif 000006
【図５】
2020064202.tif 000007
【図６】
2020064202.tif 000008